(57)【要約】【課題】１回のミラー駆動シーケンスにおける撮影枚数を切り換え可能とし、簡易な操作で所望とする一瞬を撮影可能とする。【解決手段】本発明は、被写体光束を受けて撮像を行なう撮像素子１４と、被写体光束を受けて被写体を観察する観察光学系と、被写体光束を上記観察光学系に導く第１の位置と、上記被写体光束の光路中から退避して上記被写体光束を撮像素子１４に導くため第２の位置に可動するクイックリターンミラー５と、上記クイックリターンミラー５が上記第２の位置にある所定の期間の任意の時期に上記撮像素子１４に対し複数回の撮像を行なわせる制御回路４０とを有することを特徴とするデジタルカメラである。【選択図】      図１
2006165804.tif 000002
【特許請求の範囲】
【請求項１】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導く第２の位置とに可動自在な反射ミラーと、
上記反射ミラーが上記第２の位置にある所定の期間の任意の時期に上記撮像素子に対し複数回の撮像を行なわせる制御手段と、
を有することを特徴とするデジタルカメラ。
【請求項２】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導く第２の位置とに可動自在な反射ミラーと、
上記反射ミラーが上記第２の位置にある所定の期間のときに上記撮像素子に対して任意の時期に複数回の撮像を行なわせる複数駒撮影モード手段と、
上記複数駒撮影モードで上記任意の時期を決定する複数駒撮影時期決定手段と、
上記複数駒撮影時期決定手段に基づいて撮影を制御する制御手段と、
を有することを特徴とするデジタルカメラ。
【請求項３】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導く第２の位置とに可動自在な反射ミラーと、
上記反射ミラーが上記第２の位置にある所定の期間に上記撮像素子に対して１回の撮像を行なわせる１駒撮影モードと、上記反射ミラーが上記所定の期間内の上記第２の位置にあるときの任意の時期に上記撮像素子に対し複数回の撮像を行なわせる複数駒撮影モードとのどちらかの撮影モードを選択して撮影を制御する制御手段と、
を有することを特徴とするデジタルカメラ。
【請求項４】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導く第２の位置とに可動自在な反射ミラーと、
上記反射ミラーが上記第２の位置にある所定の期間のときに上記撮像素子に対して１回の撮像を行なわせる１駒撮影モード手段と、
上記反射ミラーが上記所定の期間内の上記第２の位置にあるときの任意の時期に上記撮像素子に対して複数回の撮像を行なわせる複数駒撮影モード手段と、
上記１駒撮影モード手段と上記複数駒撮影モード手段のどちらかを実行させるための撮影モード選択手段と、
上記複数駒撮影モードのときの上記任意の時期を決定する複数駒撮影時期決定手段と、
上記撮影モード選択手段の選択結果と上記複数駒撮影時期決定手段とに基づいて撮影を制御する制御手段と、
を有することを特徴とするデジタルカメラ。
【請求項５】
上記複数駒撮影モードのときの上記複数の撮像は、上記１駒撮影モードで撮像されるときのタイミングの前後に実行されることを特徴とする上記請求項３，４のいずれかに記載のデジタルカメラ。
【請求項６】
上記デジタルカメラは１眼レフカメラであることを特徴とする上記請求項３乃至５のいずれかに記載のデジタルカメラ。
【発明の詳細な説明】
【技術分野】
【０００１】
本発明は、デジタルカメラに係り、特に所望とする一瞬で撮影可能とする一眼レフレックスタイプのデジタルカメラに関する。
【背景技術】
【０００２】
従来、一眼レフレックスタイプのカメラ（以下、一眼レフカメラと略記する）では、１コマにつき内蔵するクイックリターンミラーを１回光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【特許文献１】特開平８−２７８５４１号公報
【発明の開示】
【発明が解決しようとする課題】
【０００３】
ところで、高速で移動している被写体やスポーツ写真等で、決定的な瞬間を捉えたい場合には、数ｍｓｅｃ〜１０数ｍｓｅｃのずれが、撮影タイミングを逃す事態を招く要因となることがある。また、８コマ／秒程度の連続撮影が可能なカメラは、その撮影間隔が１００〜１２５ｍｓｅｃであり、上述したタイミングを逸する可能性が高い。
【０００４】
一方、動画撮影については、一般的に市場に出回っているカメラでは１／６０ｓｅｃ毎に撮影を行っているが、この場合でも、その撮影間隔は１６．７ｍｓｅｃであり、高速での対応は不十分である。更に、動画の場合には、一瞬を捉えたいという撮影者の意図には合わず、無駄な撮影を行ってしまうという課題を依然として有している。
【０００５】
本発明の目的とするところは、１回のミラー駆動シーケンスにおける撮影枚数を切り換え可能とし、簡易な操作で所望とする一瞬を撮影可能とすることにある。
【課題を解決するための手段】
【０００６】
上記課題を解決するために、本発明の第１の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導く第２の位置とに可動自在な反射ミラーと、上記反射ミラーが上記第２の位置にある所定の期間の任意の時期に上記撮像素子に対し複数回の撮像を行なわせる制御手段と、を有することを特徴とするデジタルカメラが提供される。
【０００７】
本発明の第２の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導く第２の位置とに可動自在な反射ミラーと、上記反射ミラーが上記第２の位置にある所定の期間のときに上記撮像素子に対して任意の時期に複数回の撮像を行なわせる複数駒撮影モード手段と、上記複数駒撮影モードで上記任意の時期を決定する複数駒撮影時期決定手段と、上記複数駒撮影時期決定手段に基づいて撮影を制御する制御手段と、を有することを特徴とするデジタルカメラが提供される。
【０００８】
本発明の第３の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導く第２の位置とに可動自在な反射ミラーと、上記反射ミラーが上記第２の位置にある所定の期間に上記撮像素子に対して１回の撮像を行なわせる１駒撮影モードと、上記反射ミラーが上記所定の期間内の上記第２の位置にあるときの任意の時期に上記撮像素子に対し複数回の撮像を行なわせる複数駒撮影モードとのどちらかの撮影モードを選択して撮影を制御する制御手段と、を有することを特徴とするデジタルカメラが提供される。
【０００９】
本発明の第４の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導く第２の位置とに可動自在な反射ミラーと、上記反射ミラーが上記第２の位置にある所定の期間のときに上記撮像素子に対して１回の撮像を行なわせる１駒撮影モード手段と、上記反射ミラーが上記所定の期間内の上記第２の位置にあるときの任意の時期に上記撮像素子に対して複数回の撮像を行なわせる複数駒撮影モード手段と、上記１駒撮影モード手段と上記複数駒撮影モード手段のどちらかを実行させるための撮影モード選択手段と、上記複数駒撮影モードのときの上記任意の時期を決定する複数駒撮影時期決定手段と、上記撮影モード選択手段の選択結果と上記複数駒撮影時期決定手段とに基づいて撮影を制御する制御手段と、を有することを特徴とするデジタルカメラが提供される。
【００１０】
本発明の第５の態様では、上記第３，４の態様において、上記複数駒撮影モードのときの上記複数の撮像は、上記１駒撮影モードで撮像されるときのタイミングの前後に実行されることを特徴とするデジタルカメラが提供される。
【００１１】
本発明の第６の態様では、上記第３乃至第５の態様において、上記デジタルカメラは１眼レフカメラであることを特徴とするデジタルカメラが提供される。
【発明の効果】
【００１２】
本発明によれば、１回のミラー駆動シーケンスにおける撮影枚数を切り換え可能とし、簡易な操作で所望とする一瞬を撮影可能とするデジタルカメラを提供することができる。
【発明を実施するための最良の形態】
【００１３】
以下、図面を参照して、本発明の実施の形態について説明する。
【００１４】
図１は本発明の一実施の形態に係る一眼レフレックスタイプのデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１５】
これらの図１（ａ），（ｂ）に示されるように、このデジタルカメラ１は、ボディユニット２と該ボディユニット２に装着可能なレンズユニット３とで構成されている。
【００１６】
即ち、レンズユニット３は、複数のレンズより成るもので、ボディユニット２内の後述する撮像素子１４に撮影光束を導くための撮影レンズ４を有している。
【００１７】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には自動測距を行うための測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００１８】
そして、図２に示されるように、このデジタルカメラ１のボディユニット２の上面部には、表示部２０とシャッタ釦２１、サブダイヤル２２、撮影モードダイヤル２３、メインスイッチ２４、撮影枚数釦２７、レリーズタイムラグ設定ボタン２８が設けられている。また、ボディユニット２の背面部には、ファインダ接眼部２６とモニタ１６、メインダイヤル２５が設けられている。より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。例えば、初期状態では１コマ撮影、撮影枚数釦２７が１回押下されると３コマ撮影、２回押下されると５コマ撮影、３回押下されると初期状態に復帰の如くコマ数が設定される。また、レリーズタイムラグ設定釦２８をオンした状態で、メインダイヤル２５を回動すれば、任意のタイムラグに設定できる。
【００１９】
図３は本発明の一実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００２０】
レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、レンズユニット３内で使用される各種データが記憶されているものである。これらのレンズユニット３内の各部は、ボディユニット２内の制御回路４０からの指令に従って制御される。
【００２１】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、測距回路４５、測光回路４６、メモリ４７、記憶回路４８、スイッチ入力部５０、表示駆動回路５１、画像表示回路５３、イメージャ駆動回路５５、ストロボ駆動回路５７、タイマ計時回路５９、上述したレンズユニット３内のレンズ駆動回路３１、絞り駆動回路３３及びレンズ内データ用メモリ３４が接続されている。
【００２２】
撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。測距回路４５は測距ユニット１２を駆動するためのものであり、この測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１、サブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。イメージャ駆動回路５５は、イメージャ駆動ユニット５６を光軸方向に駆動するための回路である。ストロボ駆動回路５７はストロボ発光部５８を駆動制御するための回路である。タイマ計時回路５９は、前述したレリーズタイムラグ設定釦５８とメインダイヤル５５が操作されレリーズタイムラグが設定された場合に、その時間を計時するための回路である。
【００２３】
尚、請求項記載の制御手段とは制御回路４０等に相当し、撮影モード選択手段、１駒撮影モード手段、複数駒撮影モード手段、複数駒撮影時期決定手段は、スイッチ入力部５０等に相当する。ただし、これらの関係には限定されない。
【００２４】
以下、図４のタイミングチャートを参照して、本発明の一実施の形態に係るデジタルカメラによる基本的な撮像動作について詳細に説明する。尚、図中、ｔAはセカンドレリーズからのタイムラグ、ｔBはファインダの像消失時間、ｔCはセカンドレリーズのオンからクイックリターンミラーの駆動が開始されるまでの時間、を示している。
【００２５】
シャッタ釦２１が押下され、セカンドレリーズがオンされると、制御回路４０は所定時間ｔCを経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、セカンドレリーズがオンされてからｔA時間経過したタイミングで撮像素子１４による撮像を行う。クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、全ての動作を終了する。
【００２６】
次に、図５のタイミングチャートを参照して、本発明の一実施の形態に係るデジタルカメラによる連写モード（３コマ撮影）時の撮影動作について詳細に説明する。
【００２７】
以下の説明では、図１乃至図３の構成図を適宜参照する。尚、図中、ｔBはファインダの像消失時間を示し、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当）、ｔ3は３コマ撮影までのレリーズタイムラグ、ｔCはセカンドレリーズのオンからクイックリターンミラー５の駆動が開始されるまでの時間、をそれぞれ意味している。
【００２８】
シャッタ釦２１が押下され、セカンドレリーズがオンされると、制御回路４０は所定時間ｔCを経て絞りモータを正転駆動して不図示の絞りを絞り込み、更にクイックリターンミラー５のアップを開始する。この実施の形態では、ｔCはレリーズタイムラグ設定釦２８等の操作により設定可能となっている。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００２９】
すなわち、制御回路４０は、連写モード時においては、通常撮影モード時の撮影タイミングで１回、そのタイミングの前後、所定の間隔ｔI1，ｔI2（＝３．３msec）のタイミングで２回の計３回の撮影を行うように制御することになる。
【００３０】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００３１】
以下、この実施の形態に係るデジタルカメラの特徴的な動作を説明する。
【００３２】
次に、図６のタイミングチャートを参照して、本発明の一実施の形態に係るデジタルカメラによる連写モード（３コマ撮影）時であって、レリーズタイムラグ設定釦５８とメインダイヤル５５が操作されレリーズタイムラグが設定された場合の撮影動作について詳細に説明する。以下の説明では、図１乃至図３の構成図を適宜参照する。
【００３３】
尚、図中、ｔBはファインダの像消失時間、ｔI1は１コマ目と２コマ目の間隔、ｔI2は２コマ目と３コマ目の間隔（ｔI1＝ｔI2＝3.3msec）、ｔ1′は１コマ撮影までのレリーズタイムラグ、ｔ2′は２コマ撮影までのレリーズタイムラグ（設定のレリーズタイムラグに相当）、ｔ3′は３コマ撮影までのレリーズタイムラグ、ｔC′（＞ｔC）はセカンドレリーズのオンからクイックリターンミラー５の駆動が開始されるまでの時間である。
【００３４】
シャッタ釦２１が押下され、セカンドレリーズがオンされると、制御回路４０は所定時間ｔC′を経て絞りモータを正転駆動して不図示の絞りを絞り込み、更にクイックリターンミラー５のアップを開始する。この実施の形態では、ｔC’はレリーズタイムラグ設定釦２８等の操作により設定可能となっている。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1′，ｔ2′，ｔ3′をもって連続３回の撮像を撮像素子１４により行う。
【００３５】
すなわち、制御回路４０は、レリーズタイムラグ設定釦５８とメインダイヤル５５の操作により設定されたレリーズタイムラグｔ2′により定まる撮影タイミングで１回、そのタイミングの前後、所定の間隔ｔI1，ｔI2（＝３．３msec）のタイミングで２回の計３回の撮影を行うように制御することになる。つまり、上記操作により、レリーズがオンされてから撮像がされるまでの好みの撮影タイミングを設定可能となっている。
【００３６】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００３７】
次に、図７のタイミングチャートを参照して、本発明の一実施の形態に係るデジタルカメラによる連写モード（３コマ撮影）時であって、レリーズタイムラグ設定釦５８とメインダイヤル５５が操作されクイックリターンミラーのアップの完了から１駒目の露光開始までの時間が設定された場合の撮影動作について詳細に説明する。以下の説明では、図１乃至図３の構成図を適宜参照する。尚、図中、ｔBはファインダの像消失時間、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当）、ｔ3は３コマ撮影までのレリーズタイムラグ、ｔdはクイックリターンミラー５のアップ完了から１駒目の露光開始までの時間である。
【００３８】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップ（時間ｔd経過後）されると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００３９】
すなわち、制御回路４０は、クイックリターンミラーのアップの完了から１駒目の露光開始までの時間ｔdをタイマ計時回路５９により計時し、１駒目の撮像を開始する。
【００４０】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００４１】
次に、図８のタイミングチャートを参照して、本発明の一実施の形態に係るデジタルカメラによる連写モード（３コマ撮影）時であって、レリーズタイムラグ設定釦５８とメインダイヤル５５が操作されクイックリターンミラーのアップの完了から１駒目の露光開始までの時間が設定された場合の撮影動作について詳細に説明する。以下の説明では、図１乃至図３の構成図を適宜参照する。尚、図中、ｔB′はファインダの像消失時間、ｔ1′は１コマ撮影までのレリーズタイムラグ、ｔ2′は２コマ撮影までのレリーズタイムラグ（標準のレリーズタイムラグに相当）、ｔ3′は３コマ撮影までのレリーズタイムラグ、ｔd′はクイックリターンミラー５のアップ完了から１駒目の露光開始までの時間である。
【００４２】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップ（時間ｔd′経過後）されると、シャッタ駆動回路４３によりシャッタユニット４４に含まれるフォーカルプレーンシャッタ１３を駆動して開口状態とし、レリーズタイムラグｔ1′，ｔ2′，ｔ3′をもって連続３回の撮像を撮像素子１４により行う。
【００４３】
すなわち、制御回路４０は、クイックリターンミラーのアップの完了から１駒目の露光開始までの時間ｔd′をタイマ計時回路５９により計時し、１駒目の撮像を開始する。
【００４４】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００４５】
以下、図９のフローチャートを参照して、本発明の一実施の形態に係るデジタルカメラによる撮影動作を更に詳細に説明する。ここでは、図１乃至図３を適宜参照する。
【００４６】
シャッタ釦２１が半押しされてファーストレリーズ（以下、１Ｒと略記する）がオンされると（ステップＳ１）、測距ユニット１２による測距、測光ユニット９による測光が行われ（ステップＳ２，Ｓ３）、被写体輝度が十分であるか（所定の閾値以下であるか否か）を判断し（ステップＳ４）、十分でない場合にはストロボ発光量演算を行い（ステップＳ５）、ストロボ発光のためのフラグＦを１にセットし（ステップＳ６）、ステップＳ７に移行してシャッタ釦２１の全押しによるセカンドレリーズ（以下、２Ｒと略記する）がオンされるまでステップＳ１乃至Ｓ７の処理を繰り返す。
【００４７】
２Ｒがオンされると（ステップＳ７）、クイックリターンミラー５をアップすると共にレンズの絞込みを行い（ステップＳ８）、タイマ計時回路５９によりタイマ計時を開始した後（ステップＳ９）、連写モード（複数駒撮影モード）であるか否かを判断する（ステップＳ１０）。ここで、連写モードである場合には、シャッタユニット４４に含まれるシャッタ先幕マグネットをオフし（ステップＳ１１）、タイマの設定時間が経過するまで待機し、経過すると（ステップＳ１２）撮像素子１４をリセットし（ステップＳ１３）、上記ストロボ発光に係るフラグＦの状態を検出し（ステップＳ１４）、Ｆ＝１である場合にはストロボ発光部５８によるストロボ発光を行う（ステップＳ１５）。
【００４８】
その一方で、Ｆ＝０である場合には、撮像素子１４のデータを読み出し（ステップＳ１６）、露出設定回数だけ上記ステップＳ１３乃至Ｓ１７の処理を繰り返し、複数駒撮像を実行し（ステップＳ１７）、設定回数だけ処理が終了すると、シャッタ後幕マグネットをオフし（ステップＳ１８）、ステップＳ２６以降の処理に進む。
【００４９】
一方、連写モードではない場合には、シャッタユニット４４に含まれるシャッタ先幕マグネットをオフし（ステップＳ１９）、タイマの設定時間が経過するまで待機し、経過すると（ステップＳ２０）、撮像素子１４をリセットし（ステップＳ２１）、上記ストロボ発光に係るフラグＦの状態を検出し（ステップＳ２２）、Ｆ＝１である場合にはストロボ発光部５８によるストロボ発光を行う（ステップＳ２３）。一方、このストロボ発光部５８によるストロボ発光の後、或いは上記ステップＳ２２でＦ＝０である場合には、撮像素子１４のデータを読み出し（ステップＳ２４）、シャッタ後幕マグネットをオフし（ステップＳ２４）、ステップＳ２６以降の処理に進む。
【００５０】
こうして、クイックリターンミラー５をダウンすると共にレンズ絞り開放とし（ステップＳ２６）、メカチャージを行い（ステップＳ２７）、ストロボ発光に係るフラグＦを０とし（ステップＳ２８）、この動作を終了する。
【００５１】
以上説明したように、本発明の一実施の形態によれば、セカンドレリーズのオンから所望とする基準位置（例えば、露光基準位置）までの時間を設定可能とすることで、レリーズタイムラグを所望の値に設定することを可能としたデジタルカメラが提供される。
【００５２】
以上、本発明の実施の形態について説明したが、本発明はこれに限定されることなくその主旨を逸脱しない範囲で種々の改良・変更が可能である。例えば、前述した技術はデジタルカメラのみならず、撮像素子を用いて撮影を行なう各種の装置に適用可能である。
【図面の簡単な説明】
【００５３】
【図１】（ａ）は本発明の第１の実施の形態に係るデジタルカメラの正面図、（ｂ）はデジタルカメラの側面図である。
【図２】図１のデジタルカメラを背面側より見た外観斜視図である。
【図３】本発明の一実施の形態に於けるデジタルカメラの電気系のシステム構成を示すブロック図である。
【図４】本発明の一実施の形態に係るデジタルカメラによる基本的な撮像動作について詳細に説明するフローチャートである。
【図５】本発明の一実施の形態に係るデジタルカメラによる連写モード時の撮影動作について詳細に説明するフローチャートである。
【図６】本発明の一実施の形態に係るデジタルカメラによる連写モード時であって、レリーズタイムラグが設定された場合の撮影動作を説明するフローチャートである。
【図７】本発明の一実施の形態に係るデジタルカメラによる連写モード時であって、クイックリターンミラーのアップの完了から１駒目の露光開始までの時間が設定された場合の撮影動作を説明するフローチャートである。
【図８】本発明の一実施の形態に係るデジタルカメラによる連写モード時であって、クイックリターンミラーのアップの完了から１駒目の露光開始までの時間が設定された場合の撮影動作を説明するフローチャートである。
【図９】本発明の一実施の形態に係るデジタルカメラによる撮影動作を更に詳細に説明するフローチャートである。
【符号の説明】
【００５４】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・測距ユニット、１３・・・フォーカルプレーンシャッタ、１４・・・撮像素子、１５・・・メイン回路基板、１６・・・モニタ。
【図１】
2006165804.tif 000003
【図２】
2006165804.tif 000004
【図３】
2006165804.tif 000005
【図４】
2006165804.tif 000006
【図５】
2006165804.tif 000007
【図６】
2006165804.tif 000008
【図７】
2006165804.tif 000009
【図８】
2006165804.tif 000010
【図９】
2006165804.tif 000011